(57)【要約】【課題】腰痛を予防、及び緩和するほか、首、肩、背中痛等、全身の不調の影響する骨盤及び仙腸関節をサポートする骨盤及び仙腸関節支持用ベルトを提供する。【解決手段】本考案に係る骨盤及び仙腸関節支持用ベルトは、装着者の腰部にあてがう矩形のバックル部と、前記バックル部の左右側面に設けたベルト通し孔に挿通可能であって、装着者の腰部に複数周巻き付け可能な長さを有すると共に、伸縮性を有するベルト部を備える。【選択図】図１
0003182226.tif 000002
【実用新案登録請求の範囲】
【請求項１】
装着者の腰部に巻きつける骨盤及び仙腸関節支持用ベルトであって、
装着者の腰部にあてがう矩形のバックル部と、
前記バックル部の左右側面に設けたベルト通し孔に挿通可能であって、装着者の腰部に複数回巻き付け可能な長さを有すると共に、伸縮性を有するベルト部を備えることを特徴とする骨盤及び仙腸関節支持用ベルト。
【請求項２】
前記バックル部は、２枚の皮革を縫合して形成され、上下辺端緑の両端角部が斜めに切り取られた８角形状であることを特徴とする請求項１に記載の骨盤及び仙腸関節支持用ベルト。
【請求項３】
前記伸縮性ベルト部は、シリコーンゴムによって形成されていることを特徴とする請求項１又は請求項２の何れか一方に記載の骨盤及び仙腸関節支持用ベルト。
【考案の詳細な説明】
【技術分野】
【０００１】
本考案は、腰痛等を予防したり、緩和させたりする骨盤及び仙腸関節支持用ベルトに関するものである。
【背景技術】
【０００２】
従来から、腰痛の予防及び緩和を目的として、腰部を固定するためのコルセットが多く提案されている。従来のコルセットは、帯状のベルトを腰部に当接する腰当て部と、身体の側方から前側にかけて巻き付けるベルト部とからなり、ベルト部の先端に設けられた面ファスナーなどの固定手段により身体の前側でベルトを固定して使用するものが一般的である。
【０００３】
例えば、腰が前後に曲がることを抑制するため、腰に対して広い固定面を有する腰当て部と、この腰当て部の両端に連続し、腰当て部を腰に押しつけるための腰締めベルト部とを有する腰用コルセットがある（特許文献１、２参照）。この腰用コルセットは、締め付けた腰締めベルト部を腹側で締め付けていくことにより、腰当て部を腰に密着させて、直接的に腰が前後に曲がることを抑制する。
【先行技術文献】
【特許文献】
【０００４】
【特許文献１】登録実用新案第３１１７４４６号公報
【特許文献２】特開２００２−２３８９３２号公報
【考案の概要】
【考案が解決しようとする課題】
【０００５】
しかし、当該コルセットでは、広い固定面で腰が固定されるため、腰の自由度が過度に制限されるので、装着者に窮屈感を与えたり、基礎筋力が低下し悪化することがある。また、コルセットを固定することにより痛みが軽減されるため、自分の容量以上に体を動かしてしまし、その結果、更に腰痛を悪化させることもある。
【０００６】
又、当該コルセットは、腰当て部とベルト部が一体となって形成されているので、構成が複雑になり安価にて提供することができない問題もある。
【０００７】
そこで、本考案は、上記のような実情に鑑みて創作されたものであり、装着することにより骨盤又は仙骨関節を支持する骨盤及び仙腸関節支持用ベルトを提供することを目的とするものである。
【課題を解決するための手段】
【０００８】
上記目的を達成するため、本考案に係る骨盤及び仙腸関節支持用ベルトは、装着者の腰部にあてがう矩形のバックル部と、前記バックル部の左右側面に設けたベルト通し孔に挿通可能であって、装着者の腰部に複数周巻き付け可能な長さを有すると共に、伸縮性を有するベルト部を備えることを特徴とするものである。
【０００９】
前記バックル部が、２枚の皮革を縫合して形成され、上下辺端緑の両端角部が斜めに切り取られた８角形状であることを特徴とするものである。
【００１０】
前記ベルト部が、シリコーンゴムによって形成されていることを特徴とするものである。
【考案の効果】
【００１１】
従来のコルセットは、コルセット全体で腰部周囲を１周するのみである。しかし、本考案のベルト部は３ｍ程度の長さを有するため、装着者の腰部周辺に複数周巻き付けることが可能になる。これにより、骨盤又は仙腸関節部分が確実に支持され、腰痛を予防、防止することができる。
【００１２】
又、ベルト部は、伸縮性に優れたシリコーンゴム製であるため、圧をかけたい部分を自分で調整でき、更に前後左右に体を倒してもゴムの作用で押し戻されるため、従来のコルセットのように基礎筋力が低下することはなく、逆に更なる筋力が付加されることとなる。
【００１３】
更に、バックル部とベルト部とが固定されていないため、ウエストサイズに合わせて左右のベルト部の長さが調整できるので、女性から大柄な男性まで様々な体格に対応することができる。
【００１４】
又、バックル部は、矩形の上下辺端緑の両端角部が斜めに切り取られた８角形からなるため、角部が背中に食い込むことがなく、無用な圧迫感を無くすと共に、より骨盤又は仙腸関節部分にフィットすることとなる。
【００１５】
更に、本考案は、ベルト部がシリコーンゴム製であるとともに、バックル部が２枚の皮革からなるシンプルな構造であるため、従来のコルセットより安価で提供することができる。
【図面の簡単な説明】
【００１６】
【図１】本考案の骨盤及び仙腸関節支持用ベルトの使用状態を示す正面図である。
【図２】本考案の骨盤及び仙腸関節支持用ベルトの使用状態を示す斜視図である。
【図３】本考案の骨盤及び仙腸関節支持用ベルトの装着状態を示す図である。
【考案を実施するための形態】
【００１７】
以下、各図面に基づいて本考案の実施の形態を説明する。
【実施例】
【００１８】
図１は骨盤及び仙腸関節支持用ベルトの使用状態を示す正面図である。図２は骨盤及び仙腸関節支持用ベルトの使用状態を示す斜視図である。図３は骨盤及び仙腸関節支持用ベルトの装着状態を示す図である。
【００１９】
図１に示すように、骨盤及び仙腸関節支持用ベルト１は、ベルト部２及びバックル部３から構成されている。
【００２０】
ベルト部２は、シリコーンゴムによって形成された伸縮性及び通気性を有する中空状のゴムチューブからなる。ベルト部２の素材としては、前述したシリコーンゴムの他、アクリロニトリルブタジエンゴム、天然ゴム、アクリルゴム、エチレンプロピレンジエンゴム、クロロプレンゴム、フッ素ゴムなどが例示できるが、ゴムチューブに要求される特性に応じて適宜選択すればよい。
【００２１】
ベルト部２の長さは、好ましくは２．５ｍ〜３．５ｍの範囲に設定するものであるが、例えば３ｍに設定することが最も好ましく効果的である。更に、幅、厚さに関しては、例えば幅４３ｍｍ、厚さ１．５ｍｍに設定することが最も好ましく効果的である。
【００２２】
バックル部３は皮革で形成されているものであるが、これは合成皮革を使用してもよく、皮革以外の柔軟性を有する合成樹脂であってもよい。また、バックル部３には芯材を入れて、剛性を高めてもよい。
【００２３】
又、バックル部３の厚さは、３ｍｍ〜５ｍｍの範囲に設定するものであるが、例えば４ｍｍに設定するのが最も好ましく効果的である。更に、高さと幅に関しては、このバックルをあてがう部位の面積に鑑みれば、例えば高さ１１．５ｃｍ、幅１３ｃｍに設定することが最も好ましく効果的である。
【００２４】
図２に示すように、バックル部３は矩形であって、バックル部３の上下辺端緑の両端角部が斜めに切り取られおり、８角形で形成されている。このように角が切り取られることにより、角部が背中に食い込むことがなく、バックル部３が骨盤又は仙腸関節により適度にフィットし、違和感や圧迫感を無くすことができる。
【００２５】
図２に示すように、バックル部３は、２枚の皮革を重層させ、それら皮革の上下左右端縁を縫合して形成される。但し、バックル部３の正面上部左右側面にベルト通し孔４を形成するため、ベルト部２の正面上部左右側面については縫合しないようにしてある。
【００２６】
ベルト通し孔４は、ベルト部２の縦断面よりも僅かに大きいサイズで形成されているため、ベルト部２を通した時にこのベルト通し孔４内でベルト部２が上下移動することはなくなる。
【００２７】
次に、本考案の骨盤及び仙腸関節支持用ベルトの使用方法について説明する。
【００２８】
ベルト部２をバックル部３の側面に形成された２つのベルト通し孔４に挿通することにより、ベルト部２に沿って平行にバックル部３が取り付けられ、この状態が維持される。ベルト部２とバックル部３は相互に固定されないので、バックル部３を自由にスライドさせることができる。こうすることで、ウエストサイズに合わせて左右のベルト部２の長さを調整できるので、小柄な女性から大柄な男性まで様々な体格に対応することができる。
【００２９】
次に、バックル部３を骨盤又は仙腸関節の部分に押し当てて、ベルト部２を腰部中心に巻き付けて装着する。ベルト部２はゴムチューブであり伸縮性があるので、適度の硬さで体に巻き付けることが可能であると共に、腰部の圧をかけたい部分を自分で調整できるので、筋肉を補うという効果を有する。
【００３０】
そして、ベルト部２の長さは３ｍであるため、図３に示すように、腰部に何重にも巻きつけて装着することとなる。これにより、ベルト部２を介して装着者の腰に対し、バックル部３がより密着することとなるため、腰用コルセットと同様に腰痛を予防したり、緩和したりすることができる。
【符号の説明】
【００３１】
１      骨盤及び仙腸関節支持用ベルト
２      ベルト部
３      バックル部
４      ベルト通し孔
【図１】
0003182226.tif 000003
【図２】
0003182226.tif 000004
【図３】
0003182226.tif 000005